(57)【要約】【課題】  飛翔体に対する十分な避雷性能を確保する。【解決手段】  垂直姿勢で上方に飛翔する飛翔体の周囲に当該飛翔体を取り囲むように避雷針を配置する設備において、飛翔体の予測飛翔範囲外に設けられ、予測飛翔範囲内に位置するように前記避雷針を頂上に支持する鉄塔と、該鉄塔と前記避雷針との間に設けられ、前記避雷針を飛翔体の予測飛翔範囲外に移動させる避雷針移動機構とを具備する。【選択図】      図１
2005178598.tif 000002
【特許請求の範囲】
【請求項１】
垂直姿勢で上方に飛翔する飛翔体の周囲に当該飛翔体を取り囲むように避雷針を配置する設備であって、
飛翔体の予測飛翔範囲外に設けられ、予測飛翔範囲内に位置するように前記避雷針を頂上に支持する鉄塔と、
該鉄塔と前記避雷針との間に設けられ、前記避雷針を飛翔体の予測飛翔範囲外に移動させる避雷針移動機構と
を具備することを特徴とする避雷設備。
【請求項２】
避雷針移動機構は、避雷針を鉄塔の頂上から降下させることにより飛翔体の予測飛翔範囲外に移動させることを特徴とする請求項１記載の避雷設備。
【請求項３】
避雷針移動機構は、避雷針を傾斜させることにより飛翔体の予測飛翔範囲外に移動させることを特徴とする請求項１記載の避雷設備。
【発明の詳細な説明】
【技術分野】
【０００１】
本発明は、避雷設備に関する。
【背景技術】
【０００２】
ロケット発射設備にはロケットへの落雷を避けるための避雷設備が含まれる。この避雷設備は、ロケットの周囲に３あるいは４つ固定配置された鉄塔の頂上に避雷針を固定したものである。なお、このような避雷設備に関する適当な公知文献の名称及び所在を出願人は認識していないが、パラボナアンテナ等に関する避雷針構造については、例えば下記の特許文献に開示されている。
【特許文献１】実開平０１−１０６１００号公報
【発明の開示】
【発明が解決しようとする課題】
【０００３】
ところで、避雷針の避雷性能は、周知のように避雷針と避雷対象物との距離に依存し、避雷針を避雷対象物に近づける程向上する。しかしながら、避雷対象物が発射時に飛翔するロケットの場合には、予測飛翔範囲内に避雷針を設けることができない故に、避雷針をロケットに近づけることができず、したがって十分な避雷性能を確保することができないという問題がある。
【０００４】
本発明は、上述した事情に鑑みてなされたものであり、飛翔体に対する十分な避雷性能を確保することを目的とするものである。
【課題を解決するための手段】
【０００５】
上記目的を達成するために、本発明では、垂直姿勢で上方に飛翔する飛翔体の周囲に当該飛翔体を取り囲むように避雷針を配置する設備において、飛翔体の予測飛翔範囲外に設けられ、予測飛翔範囲内に位置するように前記避雷針を頂上に支持する鉄塔と、該鉄塔と前記避雷針との間に設けられ、前記避雷針を飛翔体の予測飛翔範囲外に移動させる避雷針移動機構とを具備する、という解決手段を採用する。
【発明の効果】
【０００６】
本発明によれば、飛翔体が飛翔するときには、避雷針移動機構が避雷針を予測飛翔範囲外に移動させるので、避雷針が飛翔体の飛翔の妨害になることがないと共に、避雷針を飛翔体に近い位置に配置することが可能であり十分な避雷性能を確保することができる。
【発明を実施するための最良の形態】
【０００７】
以下、図面を参照して、本発明の一実施形態について説明する。
図1は本実施形態に係る避雷設備の正面図、図２は平面図である。これら図において、符号Ｘはロケット、１Ａ〜１Ｄは鉄塔、２Ａ〜２Ｄは避雷針移動機構、３Ａ〜３Ｄは避雷針である。
【０００８】
図示するように、ロケットＸは図示するように略円筒状の飛翔体である。このロケットＸは、所定の支持機構（図示略）によって垂直姿勢つまり自らの中心軸線が垂直方向となるように支持されており、打ち上げ時には上方に向かって飛翔する。図における一点差線は、この打ち上げ時におけるロケットＸの予測飛翔範囲を示している。ロケットＸは、必ずしも垂直方向に飛翔するのではなく、状況に応じて垂直方向から多少傾斜した方向に飛翔するので、予測飛翔範囲は、図示するように地上から高くなる程広い領域となる。なお、図２における一点差線は、避雷針３Ａ〜３Ｄの高さにおける予測飛翔範囲を示している。
【０００９】
このようなロケットＸの周囲には一定距離を隔てて合計４つの鉄塔１Ａ〜１Ｄが固定配置されている。これら４つの鉄塔１Ａ〜１Ｄは、互いに等間隔となると共に、上記予測飛翔範囲外に位置するように配置されている。また、各鉄塔１Ａ〜１Ｄの頂上には、避雷針３Ａ〜３Ｄが避雷針移動機構２Ａ〜２Ｄを介して移動自在に支持されている。すなわち、鉄塔１Ａの頂上には避雷針移動機構２Ａを介して避雷針３Ａが支持され、鉄塔１Ｂの頂上には避雷針移動機構２Ｂを介して避雷針３Ｂが支持され、鉄塔１Ｃの頂上には避雷針移動機構２Ｃを介して避雷針３Ｃが支持され、また鉄塔１Ｄの頂上には避雷針移動機構２Ｄを介して避雷針３Ｄが支持されている。
【００１０】
避雷針移動機構２Ａ〜２Ｄは、棒状の避雷針３Ａ〜３Ｄを各々垂直姿勢で支持すると共にロケットＸの打ち上げ時には鉄塔１Ａ〜１Ｄの頂上から降下させて当該鉄塔１Ａ〜１Ｄ内に収容する。避雷針３Ａ〜３Ｄは、先端部がロケットＸの先端部よりも上方に突き出した棒状の鋼材であり、避雷針移動機構２Ａ〜２Ｄ及び鉄塔１Ａ〜１Ｄを介して電気的に大地に接地されている。
【００１１】
次に、このように構成された避雷設備の動作について、図３を参照して説明する。
最初にロケットＸの打ち上げ前の段階では、避雷針移動機構２Ａ〜２Ｄは、図１に示すように各避雷針３Ａ〜３Ｄの先端部がロケットＸの先端部よりも上方に突き出す状態となるように、各避雷針３Ａ〜３Ｄを位置設定する。この状態において各避雷針３Ａ〜３Ｄは、図１に示すように予測飛翔範囲内に位置する。
【００１２】
しかし、避雷針移動機構２Ａ〜２Ｄは、ロケットＸの打ち上げ時には図３に示すように、各避雷針３Ａ〜３Ｄを鉄塔１Ａ〜１Ｄの頂上から降下させて鉄塔１Ａ〜１Ｄ内に収容させる。この状態では、各避雷針３Ａ〜３Ｄは鉄塔１Ａ〜１Ｄの頂上から上方に突出していないので予測飛翔範囲内には存在しない。すなわち、ロケットＸを打ち上げた場合には、各避雷針３Ａ〜３ＤはロケットＸと干渉することがなく、ロケットＸの飛翔を妨害することはない。
【００１３】
このように避雷設備が避雷針移動機構２Ａ〜２Ｄによって各避雷針３Ａ〜３Ｄを上下動させる機能を備えることによって、各避雷針３Ａ〜３Ｄによって得られるロケットＸの避雷性能について、以下のような効果が得られる。
【００１４】
すなわち、従来技術のように各避雷針３Ａ〜３Ｄが鉄塔１Ａ〜１Ｄの頂上の固定設置されている場合は、各避雷針３Ａ〜３Ｄを予測飛翔範囲外に配置しなければならず、そのためには鉄塔１Ａ〜１Ｄを本避雷設備よりもロケットＸから離間させる必要がある。つまり、各避雷針３Ａ〜３ＤをロケットＸからさらに離間させる必要があるので、その分避雷性能が低下する。換言すると、本本避雷設備によれば、各避雷針３Ａ〜３Ｄを従来技術よりもロケットＸに接近させることができるので、よって従来技術よりも避雷性能を向上させることができる。
【００１５】
なお、本発明は除来実施形態に限定されるものではなく、例えば以下のよな変形例が考えられる。（１）上記実施形態では、各避雷針３Ａ〜３Ｄを上下動可能に支持することによってロケットＸを打ち上げ時に各避雷針３Ａ〜３Ｄを予測飛翔範囲外に移動させるように構成したが、各避雷針３Ａ〜３Ｄの移動方法はこれに限定されるものではない。
【００１６】
図３は、避雷針３Ａ〜３Ｄを傾斜させることによって予測飛翔範囲外に移動させる場合を示している。すなわち、この図における避雷針移動機構２Ａ’，２Ｂ’は、ロケットＸを打ち上げ時に避雷針３Ａ〜３ＤをロケットＸの外側に傾斜させる。このような各避雷針３Ａ〜３Ｄの移動方法によっても、ロケットＸを打ち上げ時に避雷針３Ａ〜３Ｄを予測飛翔範囲外に位置させることが可能なので、各避雷針３Ａ〜３Ｄを従来技術よりもロケットＸに接近させることが可能であり、よって従来技術よりも避雷性能を向上させることができる。
【００１７】
（２）また、上記図１〜３はロケットＸの周囲の合計４本の避雷針３Ａ〜３Ｄを設ける場合を示しているが、避雷針の個数は４本に限定されるものではない。避雷針はロケットＸを取り囲むように少なくとも３本設ければ飛来性能を発揮する。したがって、避雷針の個数は３本以上であれば良い。
【図面の簡単な説明】
【００１８】
【図１】本発明の一実施形態に係わる避雷設備の正面図である。
【図２】本発明の一実施形態に係わる避雷設備の平面図である。
【図３】本発明の一実施形態に係わる避雷設備における避雷針３Ａ〜３Ｄの移動状態を示す第１の正面図である。
【図４】本発明の一実施形態に係わる避雷設備における避雷針３Ａ〜３Ｄの移動状態を示す第２の正面図である。
【符号の説明】
【００１９】
Ｘ…ロケット、１Ａ〜１Ｄ…鉄塔、２Ａ〜２Ｄ…避雷針移動機構、３Ａ〜３Ｄ…避雷針
【図１】
2005178598.tif 000003
【図２】
2005178598.tif 000004
【図３】
2005178598.tif 000005
【図４】
2005178598.tif 000006